(57)【特許請求の範囲】
【請求項１】
階段を成す踏板を片持ち状態で支持する踏板支持具であって、
前記踏板を支持する一対の踏板支持体と、前記踏板支持体を締結して固定する支持体締結部とを備え、
前記踏板支持体として、第一支持体と第二支持体とを有し、
前記第一支持体および前記第二支持体は、前記踏板を載置する踏板載置部と、前記踏板載置部と直交すべく設けられた柱挟持部と、前記柱挟持部の上方位置に設けられた取付部と、前記踏板載置部の下方面側に設けられた垂直補強部および水平補強部とを用いて構成されており、
前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成され、
前記踏板載置部の下方面側には、踏板載置部表面部に対して略垂直な位置に配された垂直補強部と、前記踏板載置部表面部に対して略水平であって前記垂直補強部の下方端部に接する位置に配された水平補強部とが設けられており、
前記踏板載置部および前記水平補強部は、前記柱挟持部における前記柱の後方側端部から前記踏板載置部および前記水平補強部の前方側端部まで、連続して一体的に形成されている
ことを特徴とする踏板支持具。
【請求項２】
複数の踏板を有する片持ち階段であって、
前記踏板と、前記踏板を片持ち状態で支持する踏板支持具とを備え、
前記踏板支持具が、前記踏板を支持する一対の踏板支持体である第一支持体および第二支持体と、前記踏板支持体を締結して固定する支持体締結部とを有し、
前記第一支持体および前記第二支持体は、前記踏板を載置する踏板載置部と、前記踏板載置部と直交すべく設けられた柱挟持部と、前記柱挟持部の上方位置に設けられた取付部と、前記踏板載置部の下方面側に設けられた垂直補強部および水平補強部とを用いて構成されており、
前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成され、
前記踏板載置部の下方面側には、踏板載置部表面部に対して略垂直な位置に配された垂直補強部と、前記踏板載置部表面部に対して略水平であって前記垂直補強部の下方端部に接する位置に配された水平補強部とが設けられており、
前記踏板載置部および前記水平補強部は、前記柱挟持部における前記柱の後方側端部から前記踏板載置部および前記水平補強部の前方側端部まで、連続して一体的に形成されており、
前記踏板が、前記第一支持体の前記踏板載置部および前記第二支持体の前記踏板載置部に載置される
ことを特徴とする片持ち階段。
【請求項３】
複数の踏板を有する片持ち階段を構築する片持ち階段の構築方法であって、
前記片持ち階段が、前記踏板と、前記踏板を片持ち状態で支持する踏板支持具とを備え、前記踏板支持具が、前記踏板を支持する一対の踏板支持体である第一支持体および第二支持体と、前記踏板支持体を締結して固定する支持体締結部とを有し、前記第一支持体および前記第二支持体は、前記踏板を載置する踏板載置部と、前記踏板載置部と直交すべく設けられた柱挟持部と、前記柱挟持部の上方位置に設けられた取付部と、前記踏板載置部の下方面側に設けられた垂直補強部および水平補強部とを用いて構成されており、前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成され、前記踏板載置部の下方面側には、踏板載置部表面部に対して略垂直な位置に配された垂直補強部と、前記踏板載置部表面部に対して略水平であって前記垂直補強部の下方端部に接する位置に配された水平補強部とが設けられており、前記踏板載置部および前記水平補強部は、前記柱挟持部における前記柱の後方側端部から前記踏板載置部および前記水平補強部の前方側端部まで、連続して一体的に形成されており、前記踏板が、前記第一支持体の前記踏板載置部および前記第二支持体の前記踏板載置部に載置されるべく構成されており、
前記踏板の数と等しい数の柱を配置する柱配置工程と、
前記第一支持体の前記柱挟持部および前記第二支持体の前記柱挟持部にて前記柱を挟み込むようにして前記第一支持体および前記第二支持体を前記柱の側面に配置する踏板支持体配置工程と、
前記第一支持体の前記取付部および前記第二支持体の前記取付部が、前記柱の後方側に配置された前記支持体締結部を用いて締結して固定される支持体締結工程と、
前記第一支持体の前記踏板載置部および前記第二支持体の前記踏板載置部に前記踏板が載置される踏板載置工程とを備えた
ことを特徴とする片持ち階段の構築方法。
【発明の詳細な説明】
【技術分野】
【０００１】
本発明は、階段を成す踏板を片持ち状態で支持する、踏板支持具に関するものである。また、本発明は、複数の踏板から成る階段に関するものであって、より具体的には、階段を成す踏板を片持ち状態で支持する踏板支持具を用いて構成された、階段（片持ち階段）に関するものである。さらに、本発明は、複数の踏板から成る階段の構築方法に関するものであって、より具体的には、階段を成す踏板を片持ち状態で支持する踏板支持具を用いて構成された、階段（片持ち階段）の構築方法に関するものである。
【背景技術】
【０００２】
一般的な木造建築物は、平屋あるいは複数の階層を有する構造となっている。その中で複数の階層を有する木造建築物（二階建て、三階建て等）においては、各階層を行き来する（昇降する）ために「階段」が必要となる。
【０００３】
二階建てあるいは三階建て等の複数の階層を有する木造建築物に用いられる階段としては、例えば、対となる二枚の側桁と、これらの側桁の間に設けられた複数の踏板等とを用いて構成される、側桁階段が知られている。この側桁階段は、最も一般的な構造の階段の一つであり、複数の踏板は、その両側に設けられた側桁と呼ばれる厚板に差し込まれた状態で、隠し釘等にて両方の側桁に固く固定される。
【０００４】
また、他の構成にかかる階段としては、例えば、箱階段、力桁階段、ささら桁階段、片持ち階段等が知られている。
【０００５】
ところで、複数の階層を有する木造建築物を建築する場合においては、何等かのデザイン的な要求、室内レイアウトの問題、あるいは施主の好み等の様々な理由から、必要に応じて「片持ち階段」が選択されることがある。
【０００６】
片持ち階段は、その片側のみが壁面（あるいはその内部の躯体）に接合された構造であるため、側桁階段等と比べれば、どうしても耐えうる荷重に違いが生ずる。勿論、世の中に存在する多数の片持ち階段（木造建築物に設けられた片持ち階段）は、法律上の数値的基準を満たした状態で施工されているわけであるから、基本的には安全面に問題はない。しかしながら、通常、木造建築物に設けられた階段は、数十年使用されるため、その使用状態（使用頻度、使用時の力のかかり方等）によっては、他の階段（例えば、側桁階段）と比較して、耐久性や強度面に対する不安は否めない。
【０００７】
片持ち階段に関する技術としては、例えば、特許文献１に記載された技術が知られている。この従来技術にかかる片持ち階段は、ラグスクリュー等を用いて踏板を支持すべく構成されているが、このような構造であっても、上述した耐久性や強度面の不安は依然として存在する。
【０００８】
つまり、従来技術（特許文献１を含む片持ち階段に関する技術）においては、特に木造建築物に設けられる片持ち階段の場合、他の構造の階段に比較して、大きな荷重に対する強度面（片持ち階段を固定している部分の強度等）や、長年の使用に対する耐久性等に不安が生じるという問題があった。
【先行技術文献】
【特許文献】
【０００９】
【特許文献１】特開平２００９−１６７７４４号公報
【発明の概要】
【発明が解決しようとする課題】
【００１０】
そこで、本発明は、上記従来技術の問題を解決するためになされたものであって、比較的簡単な構造に基づき、大きな荷重に対する強度や長年の使用に対する耐久性等を向上させることが可能な、片持ち階段を成す踏板を支持する、踏板支持具を提供することを課題とする。
また、本発明は、上記従来技術の問題を解決するためになされたものであって、比較的簡単な構造に基づき、大きな荷重に対する強度や長年の使用に対する耐久性等を向上させることが可能な上記踏板支持具を用いて構成された踏板を多数備えた、階段（片持ち階段）を提供することを課題とする。
さらに、本発明は、上記従来技術の問題を解決するためになされたものであって、比較的簡単な構造に基づき、大きな荷重に対する強度や長年の使用に対する耐久性等を向上させることが可能な上記踏板支持具を用いて構成された、階段（片持ち階段）の構築方法を提供することを課題とする。
【課題を解決するための手段】
【００１１】
本発明の第一態様は、上記課題を解決するためになされたものであり、階段を成す踏板を片持ち状態で支持する踏板支持具であって、前記踏板を支持する一対の踏板支持体と、前記踏板支持体を締結して固定する支持体締結部とを備え、前記踏板支持体として、第一支持体と第二支持体とを有し、前記第一支持体および前記第二支持体は、前記踏板を載置する踏板載置部と、前記踏板載置部と直交すべく設けられた柱挟持部と、前記柱挟持部の上方位置に設けられた取付部とを用いて構成されており、前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成されていることを特徴としている。
より具体的には、本発明は、階段を成す踏板を片持ち状態で支持する踏板支持具であって、前記踏板を支持する一対の踏板支持体と、前記踏板支持体を締結して固定する支持体締結部とを備え、前記踏板支持体として、第一支持体と第二支持体とを有し、前記第一支持体および前記第二支持体は、前記踏板を載置する踏板載置部と、前記踏板載置部と直交すべく設けられた柱挟持部と、前記柱挟持部の上方位置に設けられた取付部と、前記踏板載置部の下方面側に設けられた垂直補強部および水平補強部とを用いて構成されており、前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成され、前記踏板載置部の下方面側には、踏板載置部表面部に対して略垂直な位置に配された垂直補強部と、前記踏板載置部表面部に対して略水平であって前記垂直補強部の下方端部に接する位置に配された水平補強部とが設けられており、前記踏板載置部および前記水平補強部は、前記柱挟持部における前記柱の後方側端部から前記踏板載置部および前記水平補強部の前方側端部まで、連続して一体的に形成されていることを特徴としている。
【００１２】
本発明の第二態様は、上記課題を解決するためになされたものであり、複数の踏板を有する片持ち階段であって、前記踏板と、前記踏板を片持ち状態で支持する踏板支持具とを備え、前記踏板支持具が、前記踏板を支持する一対の踏板支持体である第一支持体および第二支持体と、前記踏板支持体を締結して固定する支持体締結部とを有し、前記第一支持体および前記第二支持体は、前記踏板を載置する踏板載置部と、前記踏板載置部と直交すべく設けられた柱挟持部と、前記柱挟持部の上方位置に設けられた取付部とを用いて構成されており、前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成されており、前記踏板が、前記第一支持体の前記踏板載置部および前記第二支持体の前記踏板載置部に載置されることを特徴としている。
より具体的には、本発明は、複数の踏板を有する片持ち階段であって、前記踏板と、前記踏板を片持ち状態で支持する踏板支持具とを備え、前記踏板支持具が、前記踏板を支持する一対の踏板支持体である第一支持体および第二支持体と、前記踏板支持体を締結して固定する支持体締結部とを有し、前記第一支持体および前記第二支持体は、前記踏板を載置する踏板載置部と、前記踏板載置部と直交すべく設けられた柱挟持部と、前記柱挟持部の上方位置に設けられた取付部と、前記踏板載置部の下方面側に設けられた垂直補強部および水平補強部とを用いて構成されており、前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成され、前記踏板載置部の下方面側には、踏板載置部表面部に対して略垂直な位置に配された垂直補強部と、前記踏板載置部表面部に対して略水平であって前記垂直補強部の下方端部に接する位置に配された水平補強部とが設けられており、前記踏板載置部および前記水平補強部は、前記柱挟持部における前記柱の後方側端部から前記踏板載置部および前記水平補強部の前方側端部まで、連続して一体的に形成されており、前記踏板が、前記第一支持体の前記踏板載置部および前記第二支持体の前記踏板載置部に載置されることを特徴としている。
【００１３】
本発明の第三態様は、上記課題を解決するためになされたものであり、複数の踏板を有する片持ち階段を構築する片持ち階段の構築方法であって、前記片持ち階段が、前記踏板と、前記踏板を片持ち状態で支持する踏板支持具とを備え、前記踏板支持具が、前記踏板を支持する一対の踏板支持体である第一支持体および第二支持体と、前記踏板支持体を締結して固定する支持体締結部とを有し、前記第一支持体および前記第二支持体は、前記踏板を載置する踏板載置部と、前記踏板載置部と直交すべく設けられた柱挟持部と、前記柱挟持部の上方位置に設けられた取付部とを用いて構成されており、前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成されており、前記踏板が、前記第一支持体の前記踏板載置部および前記第二支持体の前記踏板載置部に載置されるべく構成されており、前記踏板の数と等しい数の柱を配置する柱配置工程と、前記第一支持体の前記柱挟持部および前記第二支持体の前記柱挟持部にて前記柱を挟み込むようにして前記第一支持体および前記第二支持体を前記柱の側面に配置する踏板支持体配置工程と、前記第一支持体の前記取付部および前記第二支持体の前記取付部が、前記柱の後方側に配置された前記支持体締結部を用いて締結して固定される支持体締結工程と、前記第一支持体の前記踏板載置部および前記第二支持体の前記踏板載置部に前記踏板が載置される踏板載置工程とを備えたことを特徴としている。
より具体的には、本発明は、複数の踏板を有する片持ち階段を構築する片持ち階段の構築方法であって、前記片持ち階段が、前記踏板と、前記踏板を片持ち状態で支持する踏板支持具とを備え、前記踏板支持具が、前記踏板を支持する一対の踏板支持体である第一支持体および第二支持体と、前記踏板支持体を締結して固定する支持体締結部とを有し、前記第一支持体および前記第二支持体は、前記踏板を載置する踏板載置部と、前記踏板載置部と直交すべく設けられた柱挟持部と、前記柱挟持部の上方位置に設けられた取付部と、前記踏板載置部の下方面側に設けられた垂直補強部および水平補強部とを用いて構成されており、前記第一支持体および前記第二支持体のそれぞれに設けられた前記取付部は、前記第一支持体および前記第二支持体が前記柱挟持部にて柱を挟み込むように配置された際、前記踏板載置部と対向する前記柱の後方側にて、前記支持体締結部を用いて締結されるべく構成され、前記踏板載置部の下方面側には、踏板載置部表面部に対して略垂直な位置に配された垂直補強部と、前記踏板載置部表面部に対して略水平であって前記垂直補強部の下方端部に接する位置に配された水平補強部とが設けられており、前記踏板載置部および前記水平補強部は、前記柱挟持部における前記柱の後方側端部から前記踏板載置部および前記水平補強部の前方側端部まで、連続して一体的に形成されており、前記踏板が、前記第一支持体の前記踏板載置部および前記第二支持体の前記踏板載置部に載置されるべく構成されており、前記踏板の数と等しい数の柱を配置する柱配置工程と、前記第一支持体の前記柱挟持部および前記第二支持体の前記柱挟持部にて前記柱を挟み込むようにして前記第一支持体および前記第二支持体を前記柱の側面に配置する踏板支持体配置工程と、前記第一支持体の前記取付部および前記第二支持体の前記取付部が、前記柱の後方側に配置された前記支持体締結部を用いて締結して固定される支持体締結工程と、前記第一支持体の前記踏板載置部および前記第二支持体の前記踏板載置部に前記踏板が載置される踏板載置工程とを備えたことを特徴としている。
【発明の効果】
【００１４】
本発明によれば、比較的簡単な構造に基づき、大きな荷重に対する強度や長年の使用に対する耐久性等を向上させることが可能な、片持ち階段を成す踏板を支持する踏板支持具を得ることができる。
また、本発明によれば、比較的簡単な構造に基づき、大きな荷重に対する強度や長年の使用に対する耐久性等を向上させることが可能な上記踏板支持具を用いて構成された、階段（片持ち階段）を得ることができる。
さらに、本発明によれば、比較的簡単な構造に基づき、大きな荷重に対する強度や長年の使用に対する耐久性等を向上させることが可能な上記踏板支持具を用いて構成された、階段（片持ち階段）の構築方法を得ることができる。
【図面の簡単な説明】
【００１５】
【図１】本発明の実施形態にかかる踏板支持具を分解した状態の概略斜視図を示したものである。
【図２】本発明の実施形態にかかる踏板支持具の概略図を示したものであり、図２（ａ）は踏板支持部の概略斜視図、図２（ｂ）は踏板支持具の後方概略図である。
【図３】本発明の実施形態にかかる踏板支持具および階段（片持ち階段）の取り付け作業工程の概略図を示したものであり、図３（ａ）は踏板支持具を取り付ける際における前処理工程を示す後方概略図、図３（ｂ）は踏板支持具を取り付ける際における第一支持体配置工程を示す後方概略図、図３（ｃ）は踏板支持具を取り付ける際における第二支持体配置工程を示す後方概略図、図３（ｄ）は踏板支持具を取り付ける際における支持体締結工程を示す後方概略図、図３（ｅ）は図３（ｄ）に示した支持体締結工程時における踏板支持具の概略斜視図、図３（ｆ）は踏板支持具に踏板を載置した踏板載置工程を示す概略斜視図である。
【図４】本発明の実施形態にかかる片持ち階段（を成す単一階段）の概略側面部を示したものである。
【図５】本発明の実施形態にかかる複数の踏板支持具および片持ち階段の概略斜視図を示したものであり、図５（ａ）は複数の踏板支持具の概略斜視図、図５（ｂ）は複数の踏板支持具に踏板を載置して構成された片持ち階段の概略斜視図である。
【発明を実施するための形態】
【００１６】
以下、図面に基づき、本発明の実施形態について説明する。
【００１７】
図１は、本発明の実施形態にかかる踏板支持具を分解した状態の概略斜視図を示したものである。また、図２は、本発明の実施形態にかかる踏板支持具の概略図を示したものであり、図２（ａ）は踏板支持部の概略斜視図、図２（ｂ）は踏板支持具の後方概略図である。また、図３は、本発明の実施形態にかかる踏板支持具および階段（片持ち階段）の取り付け作業工程の概略図を示したものであり、図３（ａ）は踏板支持具を取り付ける際における前処理工程を示す後方概略図、図３（ｂ）は踏板支持具を取り付ける際における第一支持体配置工程を示す後方概略図、図３（ｃ）は踏板支持具を取り付ける際における第二支持体配置工程を示す後方概略図、図３（ｄ）は踏板支持具を取り付ける際における支持体締結工程を示す後方概略図、図３（ｅ）は図３（ｄ）に示した支持体締結工程時における踏板支持具の概略斜視図、図３（ｆ）は踏板支持具に踏板を載置した踏板載置工程を示す概略斜視図である。また、図４は、本発明の実施形態にかかる片持ち階段（を成す単一階段）の概略側面部を示したものである。さらに、図５は、本発明の実施形態にかかる複数の踏板支持具および片持ち階段の概略斜視図を示したものであり、図５（ａ）は複数の踏板支持具の概略斜視図、図５（ｂ）は複数の踏板支持具に踏板を載置して構成された片持ち階段の概略斜視図である。
【００１８】
図１等に示すように、本発明の実施形態にかかる踏板支持具１は、第一支持体１０（本発明の「踏板支持体」に相当）、第二支持体５０（本発明の「踏板支持体」に相当）、および支持体締結部９０を用いて構成されている。この踏板支持具１は、図２等に示すように、第一支持体１０および第二支持体５０が柱Ｈを挟持する位置に配され、この状態において、第一支持体１０および第二支持体５０は、ビスあるいは釘を用いて柱Ｈに固定されると共に、支持体締結部９０（を成す締結本体部９１およびナット９８）を用いて柱Ｈの所定箇所に締結固定される。
【００１９】
また、本実施形態においては、図４等に示すように、一つの踏板支持具１に一つの踏板１００が載置される。つまり、本実施形態にかかる踏板支持具１を用いて複数の踏板１００を有する階段を構成する場合には、複数の柱Ｈを準備し、これらの複数の柱Ｈのそれぞれ異なる位置（高さ）に一つずつ踏板支持具１を取り付け、取り付けられた踏板支持具１に対して踏板１００が載置される。
【００２０】
本実施形態にかかる踏板支持具１を成す第一支持体１０は、柱Ｈを後方から見た状態（図２（ｂ）等参照）において、柱Ｈの左側（図２（ｂ）の左側）に配置される。また、本実施形態にかかる踏板支持具１を成す第二支持体５０は、柱Ｈを後方から見た状態（図２（ｂ））において、柱Ｈの右側（図２（ｂ）の右側）に配置される。つまり、本実施形態にかかる各支持体１０，５０は、柱Ｈを後方から見たい状態において、柱Ｈを挟持する位置の左右にそれぞれ配置される。そして、本実施形態においては、コ字形状を有する締結本体部９１が、柱Ｈの後方側から柱Ｈを挟み込む状態で各支持体１０，５０を締結固定すべく機能する。各支持体１０，５０の配置状態（配置する際の固定方法等）および締結本体部９１による締結状態の詳細は、後述する。
【００２１】
本実施形態にかかる踏板支持具１を成す踏板支持体は、対となる第一支持体１０および第二支持体５０とを用いて構成されている。つまり、第一支持体１０および第二支持体５０にて踏板支持体が構成されており、これらの支持体１０，５０に踏板１００が載置されることとなる。
【００２２】
第一支持体１０は、主な構成要素として、第一踏板載置部１１、第一柱挟持部２１、および第一取付部３１を用いて構成されており、より具体的には、これらの構成要素に加えて、第一垂直補強部１２、第一水平補強部１３、第一前側補強部２２、および第一後側補強部２３を用いて構成されている。
【００２３】
第一支持体１０を成す第一踏板載置部１１は、柱Ｈに取り付けられた際にこの第一踏板載置部１１の第一載置部表面部１１Ａが略水平となるべく、平板状の鋼材を用いて構成されており、第一柱挟持部２１と溶接等にて接続される。また、この第一踏板載置部１１においては、第一柱挟持部２１と接続された部位（第一踏板載置部１１の第一載置部先端部１１Ｃの反対側端部）の近傍の柱Ｈ側には、第一載置部柱側切欠き部１１Ｂが形成されている。さらに、この第一踏板載置部１１には、複数の第一載置部孔部１１ａが穿孔されている。このように複数穿孔された第一載置部孔部１１ａは、ビスや釘等を用いて、第一踏板載置部１１に踏板１００を取り付けて固定するために設けられている。
【００２４】
本実施形態においては、第一踏板載置部１１と第一柱挟持部２１とは、直交すべく溶接等にて固定されており、具体的には、第一柱挟持部２１の略中間位置に第一踏板載置部１１は固定されている。また、第一踏板載置部１１に形成された第一載置部柱側切欠き部１１Ｂは、第一柱挟持部２１との間に略９０°の角度を形成すべく構成されている。そして、この第一載置部柱側切欠き部１１Ｂは、第一支持体１０を柱Ｈに仮止め等する際（第一柱挟持部２１を柱Ｈの側面に配置する際）の位置合わせに用いられる。
【００２５】
また、第一踏板載置部１１の下方面側（第一載置部表面部１１Ａの裏面側）には、第一載置部表面部１１Ａに対して略垂直な位置に配された第一垂直補強部１２と、第一載置部表面部１１Ａに対して略水平であって第一垂直補強部１２の下方端部に接する位置に配された第一水平補強部１３とが設けられている。第一垂直補強部１２および第一水平補強部１３も平板状の鋼材を用いて構成されている。
【００２６】
第一支持体１０を成す第一柱挟持部２１は、第一踏板載置部１１と直交すべく、平板状の鋼材を用いて構成されており、第一踏板載置部１１と溶接等にて接続される。また、この第一柱挟持部２１においては、第一柱挟持部２１の上端部（第一柱挟持部上端部２１Ｂ）から下端部（第一柱挟持部下端部２１Ｃ）までの略全面にわたって、多数の孔部（第一柱挟持部孔部２１ａ）が穿孔されている。多数穿孔された第一柱挟持部孔部２１ａは、ビスや釘等を用いて、第一支持体１０を柱Ｈに仮止めあるいは固定するために設けられている。
【００２７】
さらに、第一柱挟持部２１は、その表面部（第一柱挟持部表面部２１Ａ）が柱Ｈと適切に接触可能なように平坦面を有すべく形成されており、第一柱挟持部表面部２１Ａの裏面側には、その前側に第一前側補強部２２が設けられ、その後側に第一後側補強部２３が設けられている。第一前側補強部２２および第一後側補強部２３も平板状の鋼材を用いて構成されている。
【００２８】
また、第一前側補強部２２および第一後側補強部２３のそれぞれは、その下方側端部が第一柱挟持部２１の下端部（第一柱挟持部下端部２１Ｃ）に接すべく構成されており、その上方側端部（第一前側補強部上端部２２Ｂおよび第一後側補強部上端部２３Ｂ）が、第一柱挟持部上端部２１Ｂとの間に所定間隔を有すべく構成されている。そして、第一柱挟持部上端部２１Ｂと第一前側補強部上端部２２Ｂとの間に形成された所定空間（第一ナット調整空間部４１）は、ナット９８を着脱する際の作業領域として機能する。
【００２９】
第一支持体１０を成す第一取付部３１は、第一柱挟持部２１の柱Ｈと接する側である第一柱挟持部表面部２１Ａの裏面側の上方位置に設けられている。また、第一取付部３１は、第一取付部前面部３１Ａ、第一取付部上面部３１Ｂ、および第一取付部下面部３１Ｃを用いて、コ字形状を有すべく構成されており、第一取付部前面部３１Ａの略中央部には第一取付孔部３１ａが穿孔されている。この第一取付部３１は、平板状の鋼材を加工（溶接あるいは折り曲げ等）することによって構成されている。
【００３０】
さて、本実施形態にかかる踏板支持具１を成す第一支持体１０は、種々の要素を用いて上述したように構成されている。そして、この第一支持体１０と対を成す第二支持体５０は、柱Ｈを挟んだ状態において、第一支持体１０と対称となるべく構成されている。
【００３１】
具体的には、第二支持体５０は、主な構成要素として、第二踏板載置部５１、第二柱挟持部６１、および第二取付部７１を用いて構成されており、より具体的には、これらの構成要素に加えて、第二垂直補強部５２、第二水平補強部５３、第二前側補強部６２、および第二後側補強部６３を用いて構成されている。
これらの構成要素５１，５２，５３，６１，６２，６３，７１を用いて構成される第二支持体５０は、左右対称となること以外は基本的に第一支持体１０と同様の構成を有するため、ここではその詳細な説明は割愛する。
【００３２】
本実施形態にかかる踏板支持具１を成す支持体締結部９０は、締結本体部９１、スペーサ９２、ナット取付部９３、およびナット９８（ダブルナット９８，９８）を用いて構成されている。
より具体的には、本実施形態にかかる支持体締結部９０を成す締結本体部９１は、後方締結部９１Ａおよび側方締結部９１Ｂ，９１Ｂを用いて構成されており、それぞれの側方締結部９１Ｂには、スペーサ９２を介してナット取付部９３が設けられている。側方締結部９１Ｂとスペーサ９２とは溶接等にて固着されており、スペーサ９２とナット取付部９３の一方端部（取付固着部９３Ｂ）も溶接等にて固着されている。ナット取付部９３の他方端部（取付先端部９３Ａ）にはおねじ部が形成されている。
このスペーサ９２は、ナット取付部９３を各取付部３１，７１（の取付孔部３１ａ，７１ａ）に挿通した後、取付先端部９３Ａにナット９８を螺合させて連結する際、ナット取付部９３と各取付部３１，７１との位置関係を適切に維持するための寸法調整部として機能する。このスペーサ９２は、ナット取付部９３を介してナット９８が回転して連結の機能を果たすためのスペーサの役割と、側方締結部９１Ｂを介し、後方締結部９１Ａにより強い力を伝える機能を有する助けとなる目的のために設けられている。
【００３３】
本実施形態にかかる踏板支持具１は、上述したように構成され、一つの踏板１００が一つの踏板支持具１（を成す対となる第一支持体１０および第二支持体５０等）に載置される。そして、一つの踏板支持具１は、一つの柱Ｈに対して取り付けられるため、複数の踏板１００を有する階段を構成する場合には、踏板１００の数に対応した複数の柱Ｈが設けられる。
以下、図３等を用いて、本実施形態にかかる踏板支持具１および踏板１００の取り付け作業工程について説明する。
【００３４】
本実施形態においては、まず、踏板１００の幅に対応した間隔にて必要数の柱Ｈが配置される（柱配置工程）。そして、それぞれの柱Ｈに対して、踏板支持具１の取り付け作業が行われる。ここで「必要数」とは、階段を構成する踏板１００の数のことである。図３は、一つの柱Ｈに対する踏板支持具１および踏板１００の取り付け作業工程を示したものである。
【００３５】
柱配置工程の後、本実施形態においては、柱Ｈに対して蹴上のライン（第一ライン）の墨出しが行われ、その蹴上のライン（第一ライン）（図示省略）から踏板１００の厚みを引いたライン（第二ライン）（図示省略）の墨出しが行われる。次いで、第二ラインから所定寸法上がった箇所に、所定領域Ｑ（例えば、９×４０の領域）のカットが行われる。つまり、本実施形態においては、実際に踏板支持具１を取り付ける前の前処理として、所定領域Ｑをカットして切り欠く作業が行われる（本発明の「前処理工程」に相当）。この所定領域Ｑは、後に第一支持体１０および第二支持体５０を締結するために用いられる締結本体部９１の後方締結部９１Ａの大きさに適合した寸法に形成されている。ここで、図３（ａ）は、前処理工程を行った後の柱Ｈの後方概略図を示したものである。
【００３６】
次いで、前処理工程の後、本実施形態においては、第一支持体１０を柱Ｈの左側面部（図３（ｂ）参照）に取り付ける、第一支持体配置工程が行われる。この際、第一支持体１０（を成す第一柱挟持部２１）の配置位置は、先に墨出しされた第一ライン、第二ライン、および所定領域Ｑに基づいて定められ、第一支持体１０の配置位置が定められた後は、第一柱挟持部孔部２１ａを介して、ビスあるいは釘を用いて、第一支持体１０が柱Ｈに仮止めされる（第一支持体配置工程）。この仮止めの際には、第一支持体１０を成す第一踏板載置部１１の水平状態の確認も合わせて行われる。ここで、図３（ｂ）は、第一支持体配置工程を行った後の後方概略図を示したものである。
なお、第一柱挟持部孔部２１ａに打ち込まれるビスあるいは釘については、図面の煩雑化を防ぐため、図３およびその他の図面においても、その記載を省略する。
【００３７】
次いで、第一支持体配置工程の後、本実施形態においては、第二支持体５０を柱Ｈの右側面部（図３（ｃ）参照）に取り付ける、第二支持体配置工程が行われる。この際、第二支持体５０（を成す第二柱挟持部６１）の配置位置は、先に取り付けられた第一支持体１０と同様に、墨出しされた第一ライン、第二ライン、および所定領域Ｑに基づいて定められ、第二支持体５０の配置位置が定められた後は、第二柱挟持部孔部６１ａを介して、ビスあるいは釘を用いて、第二支持体５０が柱Ｈに仮止めされる（第二支持体配置工程）。この仮止めの際には、第二支持体５０を成す第二踏板載置部５１の水平状態の確認も合わせて行われる。ここで、図３（ｃ）は、第二支持体配置工程を行った後の後方概略図を示したものである。上述した第一支持体配置工程および第二支持体配置工程が、本発明の「踏板支持体配置工程」に相当する。
なお、第二柱挟持部孔部６１ａに打ち込まれるビスあるいは釘については、図面の煩雑化を防ぐため、図３およびその他の図面においても、その記載を省略する。
【００３８】
上述した第一支持体配置工程および第二支持体配置工程を経て、本実施形態においては、図３（ｃ）に示すように、第一柱挟持部表面部２１Ａおよび第二柱挟持部表面部６１Ａにて、柱Ｈが左右両面から挟み込まれた状態となる。この状態で、第一踏板載置部１１および第二踏板載置部５１は、柱Ｈの前方側に突出した状態となり、本実施形態においては、このように突出した載置部１１，５１の水平状態を再度確認した後、それぞれの柱挟持部孔部２１ａ，６１ａの残り（仮止めに使用している孔部以外の孔部）についてもビスあるいは釘を打ち込む（水平確認固定工程）。この水平確認固定工程後のみかけ上の状態は、基本的には図３（ｃ）と同様である。
【００３９】
次いで、水平確認固定工程の後、本実施形態においては、前処理工程にて形成された所定領域Ｑに合わせて支持体締結部９０を取り付ける。より具体的には、締結本体部９１の後方締結部９１Ａを所定領域Ｑに合わせて位置を定め、各ナット取付部９３，９３の取付先端部９３Ａ，９３Ａを左右の取付部３１，７１に形成された第一取付孔部３１ａおよび第二取付孔部７１ａに挿通させて、このナット取付部９３，９３のそれぞれを、二つのナット９８，９８（ダブルナット）を用いて、第一取付部３１および第二取付部７１に取り付け固定する。このようにナット９８を各ナット取付部９３に螺合させる場合、本実施形態においては、柱Ｈの前方領域に第一ナット調整空間部４１および第二ナット調整空間部８１が設けられているため、ナット９８の取り付け・取り外し等を行う工具を容易に用いることができる。
このように、本実施形態においては、水平各固定工程の後には、それぞれの支持体１０，５０を支持体締結部９０にて締結して固定する支持体締結工程が行われる。ここで、図３（ｄ）は、支持体締結工程を行った後の後方概略図を示したものであり、図３（ｅ）は、支持体締結工程を行った後の前方から見た概略斜視図を示したものである。
【００４０】
次いで、支持体締結工程の後、本実施形態においては、踏板支持具１の踏板載置部１１，５１に踏板１００を載置して、ビスあるいは釘等を用いて、踏板１００を踏板載置部１１，５１に取り付けて固定する（踏板載置工程）。この踏板載置工程の際には、載置された踏板１００の表面からビス等を第一載置部孔部１１ａおよび第二載置部孔部５１ａに打ち込むことによって、踏板１００が踏板支持具１に固定されることとなる。本実施形態においては、図３および図４等に示すように、箱状の踏板１００を用いた場合を例示している。
なお、この踏板１００に打ち込まれるビスあるいは釘等については、図面の煩雑化を防ぐため、図３およびその他の図面においても、その記載を省略する。
【００４１】
本実施形態にかかる踏板支持具１を用いて踏板１００を設置する際の工程は、図３等を用いて上述したとおりであり、複数の柱Ｈ、複数の踏板支持部１、および複数の踏板１００を用い、上述した工程を複数回行うことによって、高い強度および耐久性を有する片持ち階段を構築することができる。ここで、図５は、本発明の実施形態にかかる複数の踏板支持具１および片持ち階段の概略斜視図を示したものであり、図５（ａ）は、複数の踏板支持具１が複数の柱Ｈに取り付けられた状態の概略斜視図を示し、図５（ｂ）は複数の踏板支持具１に複数の踏板１００を載置して構成された片持ち階段の概略斜視図を示している。
なお、実際に片持ち階段を設置する場合には、柱Ｈをむき出しにせず、何等かの壁面を設けると考えられるが、この図５においては、柱Ｈおよびその内部構造を明確に表すために壁面の記載を省略している。
【００４２】
さて、本実施形態にかかる踏板支持具１およびこの踏板支持具１を用いて構成された片持ち階段は、以上のように構成されている。また、本実施形態にかかる踏板支持具１を用いて構成された片持ち階段は、以上のような工程にて構築されている。そして、本実施形態にかかる踏板支持具１および片持ち階段は、上述したように構成され構築されるため、次のような作用効果を得ることができる。以下、適宜図１〜図５も参照しつつ、本実施形態にかかる踏板支持具１等の具体的な作用効果等について説明する。
【００４３】
本発明の実施形態にかかる踏板支持具１は、階段を成す踏板１００を片持ち状態で支持する踏板支持具１であって、踏板１００を支持する一対の踏板支持体（を成す第一支持体１０および第二支持体５０）と、踏板支持体を締結して固定する支持体締結部９０とを備え、踏板支持体として、第一支持体１０と第二支持体５０とを有し、第一支持体１０および第二支持体５０は、踏板１００を載置する踏板載置部１１，５１と、踏板載置部１１，５１と直交すべく設けられた柱挟持部２１，６１と、柱挟持部２１，６１の上方位置に設けられた取付部３１，７１とを用いて構成されており、第一支持体１０および第二支持体５０のそれぞれに設けられた取付部３１，７１は、第一支持体１０および第二支持体５０が柱挟持部２１，６１にて柱Ｈを挟み込むように配置された際、踏板載置部１１，５１と対向する柱Ｈの後方側にて、支持体締結部９０を用いて締結されるべく構成されている。
【００４４】
このように構成された踏板支持具１は、構成要素（支持体１０，５０、および支持体締結部９０等）が非常に少なく、この少ない構成要素を用いて一つの柱Ｈに取り付け可能であるため、簡単且つ短時間にて取り付け作業を行うことができる。つまり、この踏板支持具１であれば、取り付け作業を少人数で行うと共に、工期を短縮することができる。
【００４５】
また、本実施形態によれば、このような踏板支持具１を構成する際に柱Ｈを用いるが、この柱Ｈには殆ど手を加える必要がない。つまり、この柱Ｈにはほぞ等の欠損を殆ど生じさせない状態で踏板支持具１の取り付けが可能であるため、その柱Ｈ自身も構造体としての機能を発揮し得る。したがって、この踏板支持具１を用いれば、高い強度を有する木造建築物を実現可能である。
【００４６】
さらに、本実施形態によれば、柱Ｈに踏板支持具１を取り付けた状態において、支持体締結部９０が、踏板載置部１１，５１と対向する柱Ｈの後方側上方位置にて、取付部３１，７１を介して、支持体１０，５０を締結固定している。つまり、踏板載置部１１，５１と支持体１０，５０を締結固定している支持体締結部９０との位置関係は、柱Ｈを中心として対向しており、踏板載置部１１，５１よりも支持体締結部９０の方が高い位置に設けられている。
したがって、本実施形態によれば、踏板載置部１１，５１に荷重がかかった場合でも、そのモーメントは支持体締結部９０と柱Ｈとの接する箇所にて適切に支持することができる。つまり、従来技術（特許文献１）と異なり、本実施形態によれば、踏板載置部１１，５１に大きな力が作用した場合であっても、踏板載置部１１，５１が回転することを支持体締結部９０によって適切に防止することができる。よって、このような構成によれば、踏板支持具１を固定しているビスや釘等に作用する力を効果的に低減させることができるため、比較的簡単な構造に基づき、大きな荷重に対する強度や長年の使用に対する耐久性等を向上させることが可能な、片持ち階段を成す踏板を支持する踏板支持具を得ることができる。
【００４７】
また、これまで片持ち階段を構成する際の建築物としては、コンクリート建築物が主流であったが、本実施形態にかかる踏板支持具１であれば、木造建築物に対して適切に採用可能である。つまり、本実施形態にかかる踏板支持具１は、木造建築物に採用可能となるため、木造建築物の新たな構図のおしゃれな階段空間を構成することができる。
【００４８】
さらに、本実施形態にかかる踏板支持具１であれば、強度が必要となる棚や荷重がかかる構造物等に適当可能である。具体的には、本実施形態にかかる踏板支持具１であれば、強度を有する棚や荷重がかかるキャンチレバー式の昇降装置等に適用可能である。
【００４９】
以上のことから、本発明によれば、比較的簡単な構造に基づき、大きな荷重に対する強度や長年の使用に対する耐久性等を向上させることが可能な、片持ち階段を成す踏板１００を支持する踏板支持具１を得ることができる。
【００５０】
本発明の実施形態にかかる片持ち階段は、複数の踏板１００を有する片持ち階段であって、踏板１００と、踏板１００を片持ち状態で支持する踏板支持具１とを備え、踏板支持具１が、踏板１００を支持する一対の踏板支持体である第一支持体１０および第二支持体５０と、踏板支持体を締結して固定する支持体締結部９０とを有し、第一支持体１０および第二支持体５０は、踏板１００を載置する踏板載置部１１，５１と、踏板載置部１１，５１と直交すべく設けられた柱挟持部２１，６１と、柱挟持部２１，６１の上方位置に設けられた取付部３１，７１とを用いて構成されており、第一支持体１０および第二支持体５０のそれぞれに設けられた取付部３１，７１は、第一支持体１０および第二支持体５０が柱挟持部２１，６１にて柱Ｈを挟み込むように配置された際、踏板載置部１１，５１と対向する柱Ｈの後方側にて、支持体締結部９０を用いて締結されるべく構成されており、踏板１００が、第一支持体１０の踏板載置部１１および第二支持体５０の踏板載置部５１に載置されるべく構成されている。
【００５１】
上述したように、本実施形態にかかる片持ち階段は、複数の踏板１００と、この踏板１００に対応した複数の踏板支持具１とを用いて構成されている。そして、この踏板支持具１は、上述したような種々の作用効果を有している。
つまり、本実施形態にかかる片持ち階段は、上述した種々の作用効果を有する複数の踏板支持具１に複数の踏板１００を載置して構成されている。
したがって、本実施形態にかかる片持ち階段は、上述した踏板支持具１と同様の作用効果を有することとなる。
【００５２】
以上のことから、本発明によれば、比較的簡単な構造に基づき、大きな荷重に対する強度や長年の使用に対する耐久性等を向上させることが可能な踏板支持具１を用いて構成された、階段（片持ち階段）を得ることができる。
【００５３】
本発明の実施形態にかかる片持ち階段の構築方法は、複数の踏板１００を有する片持ち階段を構築する片持ち階段の構築方法であって、片持ち階段が、踏板１００と、踏板１００を片持ち状態で支持する踏板支持具１とを備え、踏板支持具１が、踏板１００を支持する一対の踏板支持体である第一支持体１０および第二支持体５０と、踏板支持体１０，５０を締結して固定する支持体締結部９０とを有し、第一支持体１０および第二支持体５０は、踏板１００を載置する踏板載置部１１，５１と、踏板載置部１１，５１と直交すべく設けられた柱挟持部２１，６１と、柱挟持部２１，６１の上方位置に設けられた取付部３１，７１とを用いて構成されており、第一支持体１０および第二支持体５０のそれぞれに設けられた取付部３１，７１は、第一支持体１０および第二支持体５０が柱挟持部２１，６１にて柱Ｈを挟み込むように配置された際、踏板載置部１１，５１と対向する柱Ｈの後方側にて、支持体締結部９０を用いて締結されるべく構成されており、踏板１００が、第一支持体１０の踏板載置部１１および第二支持体５０の踏板載置部５１に載置されるべく構成されており、踏板１００の数と等しい数の柱Ｈを配置する柱配置工程と、第一支持体１０の柱挟持部２１および第二支持体５０の柱挟持部５１にて柱Ｈを挟み込むようにして第一支持体１０および第二支持体５０を柱Ｈの側面に配置する踏板支持体配置工程と、第一支持体１０の取付部３１および第二支持体５０の取付部７１が、柱Ｈの後方側に配置された支持体締結部９０を用いて締結して固定される支持体締結工程と、第一支持体１０の踏板載置部１１および第二支持体５０の踏板載置部５１に踏板１００が載置される踏板載置工程とを備えるべく構成されている。
【００５４】
上述したように、本実施形態にかかる片持ち階段の構築方法は、柱配置工程、踏板支持体配置工程、支持体締結工程、および踏板載置工程を用いて構成されている。この片持ち階段の構築方法にて得られる片持ち階段は、複数の柱Ｈと、複数の踏板１００と、この踏板１００に対応した複数の踏板支持具１とを用いて構成されている。そして、この踏板支持具１は、上述したような種々の作用効果を有している。
つまり、本実施形態にかかる構築方法にて得られる片持ち階段は、上述した種々の作用効果を有する複数の踏板支持具１に複数の踏板１００を載置して構成されている。
したがって、本実施形態にかかる構築方法にて得られた片持ち階段によれば、上述した踏板支持具１と同様の作用効果を得ることができる。
【００５５】
以上のことから、本発明によれば、比較的簡単な構造に基づき、大きな荷重に対する強度や長年の使用に対する耐久性等を向上させることが可能な踏板支持具１を用いて構成された、階段（片持ち階段）の構築方法を得ることができる。
【００５６】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００５７】
上記実施形態においては、箱状の踏板１００を用いる場合について説明したが、本発明はこの構成に限定されず、例えば、板状の踏板を用いてもよい。
【００５８】
また、上記実施形態においては、箱状の踏板１００や板状の踏板を用いる場合について説明したが、本発明はこの構成に限定されない。したがって、例えば、湾曲した形状の踏板や、凹凸の施された形状の踏板を用いてもよい。さらに、踏板は、その上面、下面、側面等のいずれかの箇所、あるいは全ての箇所に、何等かのデザイン的な構成を有するものであってもよい。
【００５９】
また、上記実施形態においては、使用する踏板の形成材料については言及しなかったが、本発明にかかる踏板の形成材料は特に何等かに限定されるものではない。したがって、木材（木板）、ガラス板、鋼板、アルミ材（合金含む）、およびコンクリート板等のいずれを用いることも可能であり、必要に応じて、これらの材料を複合的に用いてもよい。
【産業上の利用可能性】
【００６０】
片持ち階段は、その片側のみが壁面に接合された構造であるため、側桁階段等と比べれば、どうしても耐えうる荷重に違いが生ずる。つまり、木造建築物に設けられた階段は、数十年使用されるため、その使用状態によっては、他の階段（例えば、側桁階段）と比較して、耐久性や強度面に対する不安は否めない。
【００６１】
そこで、本件発明者は、木造建築物に設けられる片持ち階段の上記のような問題点を改善すべく、鋭意工夫を重ねることによって、上記問題を解決し産業上の利用可能性が非常に高い、本発明にかかる踏板支持具１、片持ち階段、片持ち階段の構築方法に想到した。特に、本発明の根幹は、新たに開発された踏板支持具１にある。
【００６２】
具体的には、本発明にかかる踏板支持具１は、これまで説明したように、階段を成す踏板１００を片持ち状態で支持する踏板支持具１であって、踏板１００を支持する一対の踏板支持体（を成す第一支持体１０および第二支持体５０）と、踏板支持体を締結して固定する支持体締結部９０とを備え、踏板支持体として、第一支持体１０と第二支持体５０とを有し、第一支持体１０および第二支持体５０は、踏板１００を載置する踏板載置部１１，５１と、踏板載置部１１，５１と直交すべく設けられた柱挟持部２１，６１と、柱挟持部２１，６１の上方位置に設けられた取付部３１，７１とを用いて構成されており、第一支持体１０および第二支持体５０のそれぞれに設けられた取付部３１，７１は、第一支持体１０および第二支持体５０が柱挟持部２１，６１にて柱Ｈを挟み込むように配置された際、踏板載置部１１，５１と対向する柱Ｈの後方側にて、支持体締結部９０を用いて締結されるべく構成されている。
【００６３】
上述した本発明によれば、踏板載置部１１，５１に荷重がかかった場合でも、そのモーメントは支持体締結部９０と柱Ｈとの接する箇所にて適切に支持することができる。つまり、従来技術と異なり、本発明によれば、踏板載置部１１，５１に大きな力が作用した場合であっても、踏板載置部１１，５１が回転することを支持体締結部９０によって適切に防止することができる。よって、このような構成によれば、踏板支持具１を固定しているビスや釘等に作用する力を効果的に低減させることができるため、比較的簡単な構造に基づき、大きな荷重に対する強度や長年の使用に対する耐久性等を向上させることが可能な、片持ち階段を成す踏板を支持する踏板支持具を得ることができる。
【００６４】
すなわち、上記のように構成され機能する本発明によれば、産業上の利用可能性の高い踏板支持具を得ることができる。
また、このような作用効果を有する踏板支持具１を用いることによって、産業上の利用可能性が高い、片持ち階段および片持ち階段の構築方法を得ることができる。
【符号の説明】
【００６５】
１…踏板支持具
１０…第一支持体（本発明の「踏板支持体」に相当）
１１…第一踏板載置部
１１Ａ…第一載置部表面部
１１Ｂ…第一載置部柱側切欠き部
１１Ｃ…第一載置部先端部
１１ａ…第一載置部孔部
１２…第一垂直補強部
１３…第一水平補強部
２１…第一柱挟持部
２１Ａ…第一柱挟持部表面部
２１Ｂ…第一柱挟持部上端部
２１Ｃ…第一柱挟持部下端部
２１ａ…第一柱挟持部孔部
２２…第一前側補強部
２２Ｂ…第一前側補強部上端部
２３…第一後側補強部
２３Ｂ…第一後側補強部上端部
３１…第一取付部
３１Ａ…第一取付部前面部
３１Ｂ…第一取付部上面部
３１Ｃ…第一取付部下面部
３１ａ…第一取付部孔部
４１…第一ナット調整空間部
５０…第二支持体（本発明の「踏板支持体」に相当）
５１…第二踏板載置部
５１Ａ…第二載置部表面部
５１Ｂ…第二載置部柱側切欠き部
５１Ｃ…第二載置部先端部
５１ａ…第二載置部孔部
５２…第二垂直補強部
５３…第二水平補強部
６１…第二柱挟持部
６１Ａ…第二柱挟持部表面部
６１Ｂ…第二柱挟持部上端部
６１Ｃ…第二柱挟持部下端部
６１ａ…第二柱挟持部孔部
６２…第二前側補強部
６２Ｂ…第二前側補強部上端部
６３…第二後側補強部
６３Ｂ…第二後側補強部上端部
７１…第二取付部
７１Ａ…第二取付部前面部
７１Ｂ…第二取付部上面部
７１Ｃ…第二取付部下面部
７１ａ…第二取付部孔部
８１…第二ナット調整空間部
９０…支持体締結部
９１…締結本体部
９１Ａ…後方締結部
９１Ｂ…側方締結部
９２…スペーサ
９３…ナット取付部
９３Ａ…取付先端部
９３Ｂ…取付固着部
９８…ナット
１００…踏板
Ｈ…柱
Ｑ…所定領域（柱にカットされる所定領域）
【図１】
0006622511.tif 000002
【図２】
0006622511.tif 000003
【図３】
0006622511.tif 000004
【図４】
0006622511.tif 000005
【図５】
0006622511.tif 000006